(57)【要約】【課題】使い勝手を良くしたタイマスイッチを提供する。【解決手段】スイッチ制御部２は、スイッチＳＷ２〜ＳＷ４の設定操作に応じてタイマ制御の設定時刻などの負荷制御に関わる設定内容をメモリ４に設定する設定機能と、液晶表示部８の表示を制御する表示制御機能と、操作スイッチＳＷ１から操作信号が入力されるとトライアック１のオン／オフを反転させるとともに、計時タイマ２ａの計時した現在時刻が上記の設定時刻になるとタイマ制御の制御内容に応じてトライアック１のオン／オフを制御する制御機能と、タイマ制御の設定時刻を所定の時間幅で毎日ランダムに変化させたランダム設定時刻を設定する機能とを備え、スイッチＳＷ５の操作に応じてタイマ制御の制御モードが、設定時刻でタイマ制御を行う正確動作モード、又は、ランダム設定時刻でタイマ制御を行うランダム動作モードの何れかに選択的に切り替えられる。【選択図】図１
2006210084.tif 000002
【特許請求の範囲】
【請求項１】
造営材に配設される器体を備え、
当該器体の前面に、タイマ制御を行う設定時刻およびその制御内容を含めた負荷の制御に関わる設定を行うための設定操作部と、設定操作部による設定内容を表示する設定表示部とを配置し、
器体前面の略全体を覆うような寸法であって、設定操作部および設定表示部に対向する部位に開口窓が形成され、器体の前面に設けた枢支部により回動自在に枢支された操作ハンドルを設けるとともに、当該操作ハンドルの前面側に、前記開口窓を露出させる位置と開口窓を覆う位置との間で回動自在に枢着されたハンドルカバーを設け、
器体の内部に、器体前面に露出させた操作子が前記操作ハンドルで押されると操作信号を発生する操作スイッチと、負荷および商用電源の直列回路の両端間に電気的に接続されて前記負荷への電源供給をオン／オフする開閉素子と、負荷の制御に関わる設定内容を記憶する記憶部と、現在時刻を計時する計時機能、設定操作部の設定操作に応じて負荷の制御に関わる設定内容を記憶部に記憶させる設定機能、設定表示部の表示を制御する表示制御機能、前記操作スイッチから操作信号が入力されると前記開閉素子のオン／オフを反転させるとともに、前記計時機能により計時された現在時刻が前記記憶部に記憶されたタイマ制御の設定時刻になるとタイマ制御の制御内容に応じて前記開閉素子のオン／オフを制御する制御機能を有するスイッチ制御部とを収納したタイマスイッチであって、
前記スイッチ制御部に、設定機能により設定されたタイマ動作の設定時刻を、毎日所定の時間幅でランダムに変化させたランダム設定時刻を設定する機能を設けるとともに、
前記設定操作部に、前記制御機能によるタイマ制御の制御モードを、前記設定時刻でタイマ制御を行う正確動作モード、又は、前記ランダム設定時刻でタイマ制御を行うランダム動作モードの何れかに選択的に切り替えるタイマモード切替手段を設けたことを特徴とするタイマスイッチ。
【請求項２】
前記設定操作部に遅延時間を設定する遅延時間設定手段を設けるとともに、前記スイッチ制御部に前記遅延時間を限時する遅れタイマ機能を設け、スイッチ制御部の制御機能が、前記開閉素子のオン時に操作スイッチからのスイッチ入力があると遅れタイマ機能による限時動作を開始させ、遅れタイマ機能の限時中は開閉素子のオン状態を継続し、限時動作が終了すると開閉素子をオフさせており、たことを特徴とする請求項１記載のタイマスイッチ。
【請求項３】
前記スイッチ制御部の制御機能は、前記遅れタイマ機能の限時中に前記操作スイッチからのスイッチ入力があると、前記遅れタイマ機能による限時動作を強制的に終了させて、前記開閉素子を即座にオフさせることを特徴とする請求項２記載のタイマスイッチ。
【請求項４】
前記設定操作部に、前記スイッチ制御部の制御機能による制御モードを、前記操作スイッチからのスイッチ入力のみに応じて前記開閉素子のオン／オフを反転させる手動制御モード、又は、前記操作スイッチからのスイッチ入力に応じて前記開閉素子のオン／オフを反転させるとともに、前記計時機能の計時した現在時刻がタイマ制御の設定時刻になるとタイマ制御の制御内容に応じて前記開閉素子をオン／オフさせるタイマ制御モードの何れかに切り替えるモード切替手段を設け、前記器体の前面に、前記スイッチ制御部によって点灯状態が制御される点灯表示部を外部より目視可能な状態で配置し、前記スイッチ制御部が、前記開閉素子のオン時に前記点灯表示部を消灯させ、オフ時に前記点灯表示部を点灯させるとともに、前記遅れタイマ機能による限時動作中は前記点灯表示部を所定周期で点滅させ、且つ、前記タイマ制御モードで動作中は前記点灯表示部を前記所定周期よりも長い周期で点滅させることを特徴とする請求項２又は３記載のタイマスイッチ。
【請求項５】
前記操作ハンドルおよび前記ハンドルカバーの内の一方に永久磁石を保持させるとともに、他方に前記永久磁石の磁力で吸着される磁性体を保持させたことを特徴とする請求項１記載のタイマスイッチ。
【請求項６】
前記スイッチ制御部の制御機能は、前記設定操作部から設定操作に応じた入力がある間、前記操作スイッチからのスイッチ入力に応じた前記開閉素子のオン／オフ制御を停止することを特徴とする請求項１記載のタイマスイッチ。
【請求項７】
前記ハンドルカバーが閉じられると前記スイッチ制御部に検知信号を出力する開閉検知手段を設け、前記スイッチ制御部の制御機能は、開閉検知手段から検知信号が入力された時点より一定時間が経過するまでの間、前記操作スイッチからのスイッチ入力に応じた前記開閉素子のオン／オフ制御を停止することを特徴とする請求項１記載のタイマスイッチ。
【請求項８】
前記設定操作部は、前記スイッチ制御部の動作モードを、前記設定機能により前記設定操作部の設定操作に応じた設定内容を前記記憶部に記憶させる設定モード、前記制御機能により前記開閉素子のオン／オフを制御する制御モードの何れかに選択的に切り替える動作モード切替手段を含み、スイッチ制御部は、動作モード切替手段により制御モードに切り替えられた場合、設定操作部からの設定入力に応じた設定機能の設定動作を停止させることを特徴とする請求項１記載のタイマスイッチ。
【請求項９】
商用電源からスイッチ制御部の動作電源を生成する電源回路と、商用電源の停電を検知して停電検知信号を発生する停電検知回路と、電源回路の出力により充電されて停電時にスイッチ制御部に電源供給を行うコンデンサとを備え、スイッチ制御部は、停電検知回路から停電検知信号が入力されると、設定表示機能により設定表示部の表示を停止させることを特徴とする請求項１記載のタイマスイッチ。
【請求項１０】
造営材に配設される器体を備え、
当該器体の前面に、タイマ制御を行う設定時刻およびその制御内容を含めた負荷の制御に関わる設定を行うための設定操作部と、設定操作部による設定内容を表示する設定表示部とを配置し、
器体前面の略全体を覆うような寸法であって、設定操作部および設定表示部に対向する部位に開口窓が形成され、器体の前面に設けた枢支部により回動自在に枢支された操作ハンドルを設けるとともに、当該操作ハンドルの前面側に、前記開口窓を露出させる位置と開口窓を覆う位置との間で回動自在に枢着されたハンドルカバーを設け、
器体の内部に、器体前面に露出させた操作子が前記操作ハンドルで押されると操作信号を発生する操作スイッチと、負荷および商用電源の直列回路の両端間に電気的に接続されて前記負荷への電源供給をオン／オフする開閉素子と、負荷の制御に関わる設定内容を記憶する記憶部と、現在時刻を計時する計時機能、設定操作部の設定操作に応じて負荷の制御に関わる設定内容を記憶部に記憶させる設定機能、設定表示部の表示を制御する表示制御機能、前記操作スイッチから操作信号が入力されると前記開閉素子のオン／オフを反転させるとともに、前記計時機能により計時された現在時刻が前記記憶部に記憶されたタイマ制御の設定時刻になるとタイマ制御の制御内容に応じて前記開閉素子のオン／オフを制御する制御機能を有するスイッチ制御部とを収納したタイマスイッチであって、
ハンドルカバーが閉じられると前記スイッチ制御部に検知信号を出力する開閉検知手段を設け、スイッチ制御部の制御機能が、設定操作部から設定操作に応じた入力がある間、および、開閉検知手段から検知信号が入力された時点より一定時間が経過するまでの間、前記操作スイッチからのスイッチ入力に応じた前記開閉素子のオン／オフ制御を停止することを特徴とするタイマスイッチ。
【請求項１１】
前記器体は、造営材に固定される取付枠に取着するための取付手段を有し、前記取付枠の前面側に取着されるプレートの窓孔から前面を露出させた状態で前記取付手段を用いて前記取付枠に取り付けられ、前記開口窓を露出させる位置に前記ハンドルカバーを開いた状態で、前記ハンドルカバーを開く方向に過大な力が加わった場合に、前記プレートの窓孔の周部に前記ハンドルカバーが当接した部位を支点にして、前記操作ハンドルを前記器体の前面から離れる方向に押圧する力よりも、前記器体が前記操作ハンドルを保持する保持力を小さく設定したことを特徴とする請求項１又は１０記載のタイマスイッチ。
【請求項１２】
前記器体は、造営材に固定される取付枠の窓孔から前面を露出させた状態で、前記取付枠に取着するための取付手段を有し、前記操作ハンドルは前面視の形状が略矩形状であって、前記枢支部で枢支された側の側縁を前記取付枠の前面に面接触させるとともに、前記枢支部で枢支された側と反対側の側縁を後側に押圧した場合に前記取付枠の前面と面接触させることを特徴とする請求項１又は１０記載のスイッチ。
【発明の詳細な説明】
【技術分野】
【０００１】
本発明は、タイマスイッチに関するものである。
【背景技術】
【０００２】
従来より、毎日予め決められた時刻に負荷をオン／オフさせるためのタイマスイッチが提供されている（例えば特許文献１参照）。
【特許文献１】特開２００２−３２３９０７号公報
【発明の開示】
【発明が解決しようとする課題】
【０００３】
上述したタイマスイッチの使用方法として、負荷である照明器具を毎日決まった時刻に点灯、消灯させることで、家人が在宅していると思わせて、空き巣等の犯罪を抑制するといった使用方法があるが、毎日決まった時刻に照明器具を点灯、消灯させていると、タイマで自動的に動作させていると悟られやすいという問題があった。そこで、タイマ制御の設定時間（負荷をオンする入時間および負荷をオフする切時間）を所定の時間幅でランダムに変化させることで、照明器具を自動的に点灯、消灯させていることを悟られにくくすることもできるが、防犯目的以外の用途で使用する場合には負荷をオン／オフする時間がばらつくため使い勝手が悪かった。
【０００４】
また上述のタイマスイッチでは、タイマ制御の設定を行うための設定操作部が前面に露出しているため、誤って設定操作部に触れてしまったり、悪戯などでタイマ制御の設定内容が容易に変更されてしまうという問題もある。この問題に対して本発明者らは、設定時以外は設定操作部をハンドルカバーで覆うようにしたタイマスイッチを従来より提案している。このタイマスイッチは、器体の前面にタイマ制御の設定を行うための設定操作部を配置するとともに、器体の内部に、器体前面に露接した操作子が押されるとスイッチ入力を発生する操作スイッチと、負荷および商用電源の直列回路の両端間に電気的に接続されて負荷への電源供給をオン／オフする開閉素子と、操作スイッチからのスイッチ入力があると開閉素子のオン／オフを反転させるとともに、タイマ制御の設定時刻がくるとタイマ制御の制御内容に応じて開閉素子のオン／オフを制御するスイッチ制御部とを収納してある。そして、設定操作部に対向する部位に開口窓が形成され、器体の前面に回動自在に枢支されて、裏面側で操作スイッチの操作子を押操作可能とした操作ハンドルを設けるとともに、当該操作ハンドルの前面側に、開口窓を露出させる位置と開口窓を覆う位置との間で回動自在に枢着されたハンドルカバーを設けてあり、タイマ制御の設定を行わない場合はハンドルカバーを閉じておくことで、設定操作部が不用意に操作されるのを防止しているが、設定操作部を操作する際やハンドルカバーを閉じる際に、操作ハンドルが誤って押されて負荷のオン／オフが反転してします可能性があり、使い勝手が悪かった。
【０００５】
本発明は上記問題点に鑑みて為されたものであり、その目的とするところは、使い勝手を良くしたタイマスイッチを提供することにある。
【課題を解決するための手段】
【０００６】
上記目的を達成するために、請求項１の発明は、造営材に配設される器体を備え、当該器体の前面に、タイマ制御を行う設定時刻およびその制御内容を含めた負荷の制御に関わる設定を行うための設定操作部と、設定操作部による設定内容を表示する設定表示部とを配置し、器体前面の略全体を覆うような寸法であって、設定操作部および設定表示部に対向する部位に開口窓が形成され、器体の前面に設けた枢支部により回動自在に枢支された操作ハンドルを設けるとともに、当該操作ハンドルの前面側に、開口窓を露出させる位置と開口窓を覆う位置との間で回動自在に枢着されたハンドルカバーを設け、器体の内部に、器体前面に露出させた操作子が操作ハンドルで押されると操作信号を発生する操作スイッチと、負荷および商用電源の直列回路の両端間に電気的に接続されて負荷への電源供給をオン／オフする開閉素子と、負荷の制御に関わる設定内容を記憶する記憶部と、現在時刻を計時する計時機能、設定操作部の設定操作に応じて負荷の制御に関わる設定内容を記憶部に記憶させる設定機能、設定表示部の表示を制御する表示制御機能、操作スイッチから操作信号が入力されると開閉素子のオン／オフを反転させるとともに、計時機能により計時された現在時刻が記憶部に記憶されたタイマ制御の設定時刻になるとタイマ制御の制御内容に応じて開閉素子のオン／オフを制御する制御機能を有するスイッチ制御部とを収納したタイマスイッチであって、スイッチ制御部に、設定機能により設定されたタイマ動作の設定時刻を、毎日所定の時間幅でランダムに変化させたランダム設定時刻を設定する機能を設けるとともに、設定操作部に、制御機能によるタイマ制御の制御モードを、設定時刻でタイマ制御を行う正確動作モード、又は、ランダム設定時刻でタイマ制御を行うランダム動作モードの何れかに選択的に切り替えるタイマモード切替手段を設けたことを特徴とする。
【０００７】
請求項２の発明は、請求項１の発明において、設定操作部に遅延時間を設定する遅延時間設定手段を設けるとともに、スイッチ制御部に遅延時間を限時する遅れタイマ機能を設け、スイッチ制御部の制御機能が、開閉素子のオン時に操作スイッチからのスイッチ入力があると遅れタイマ機能による限時動作を開始させ、遅れタイマ機能の限時中は開閉素子のオン状態を継続し、限時動作が終了すると開閉素子をオフさせており、たことを特徴とする。
【０００８】
請求項３の発明は、請求項２の発明において、スイッチ制御部の制御機能は、遅れタイマ機能の限時中に操作スイッチからのスイッチ入力があると、遅れタイマ機能による限時動作を強制的に終了させて、開閉素子を即座にオフさせることを特徴とする。
【０００９】
請求項４の発明は、請求項２又は３の発明において、設定操作部に、スイッチ制御部の制御機能による制御モードを、操作スイッチからのスイッチ入力のみに応じて開閉素子のオン／オフを反転させる手動制御モード、又は、操作スイッチからのスイッチ入力に応じて開閉素子のオン／オフを反転させるとともに、計時機能の計時した現在時刻がタイマ制御の設定時刻になるとタイマ制御の制御内容に応じて開閉素子をオン／オフさせるタイマ制御モードの何れかに切り替えるモード切替手段を設け、器体の前面に、スイッチ制御部によって点灯状態が制御される点灯表示部を外部より目視可能な状態で配置し、スイッチ制御部が、開閉素子のオン時に点灯表示部を消灯させ、オフ時に点灯表示部を点灯させるとともに、遅れタイマ機能による限時動作中は点灯表示部を所定周期で点滅させ、且つ、タイマ制御モードで動作中は点灯表示部を所定周期よりも長い周期で点滅させることを特徴とする。
【００１０】
請求項５の発明は、請求項１の発明において、操作ハンドルおよびハンドルカバーの内の一方に永久磁石を保持させるとともに、他方に永久磁石の磁力で吸着される磁性体を保持させたことを特徴とする。
【００１１】
請求項６の発明は、請求項１の発明において、スイッチ制御部の制御機能は、設定操作部から設定操作に応じた入力がある間、操作スイッチからのスイッチ入力に応じた開閉素子のオン／オフ制御を停止することを特徴とする。
【００１２】
請求項７の発明は、請求項１の発明において、ハンドルカバーが閉じられるとスイッチ制御部に検知信号を出力する開閉検知手段を設け、スイッチ制御部の制御機能は、開閉検知手段から検知信号が入力された時点より一定時間が経過するまでの間、操作スイッチからのスイッチ入力に応じた開閉素子のオン／オフ制御を停止することを特徴とする。
【００１３】
請求項８の発明は、請求項１の発明において、設定操作部は、スイッチ制御部の動作モードを、設定機能により設定操作部の設定操作に応じた設定内容を記憶部に記憶させる設定モード、制御機能により開閉素子のオン／オフを制御する制御モードの何れかに選択的に切り替える動作モード切替手段を含み、スイッチ制御部は、動作モード切替手段により制御モードに切り替えられた場合、設定操作部からの設定入力に応じた設定機能の設定動作を停止させることを特徴とする。
【００１４】
請求項９の発明は、請求項１の発明において、商用電源からスイッチ制御部の動作電源を生成する電源回路と、商用電源の停電を検知して停電検知信号を発生する停電検知回路と、電源回路の出力により充電されて停電時にスイッチ制御部に電源供給を行うコンデンサとを備え、スイッチ制御部は、停電検知回路から停電検知信号が入力されると、設定表示機能により設定表示部の表示を停止させることを特徴とする。
【００１５】
請求項１０の発明は、請求項１の発明において、造営材に配設される器体を備え、当該器体の前面に、タイマ制御を行う設定時刻およびその制御内容を含めた負荷の制御に関わる設定を行うための設定操作部と、設定操作部による設定内容を表示する設定表示部とを配置し、器体前面の略全体を覆うような寸法であって、設定操作部および設定表示部に対向する部位に開口窓が形成され、器体の前面に設けた枢支部により回動自在に枢支された操作ハンドルを設けるとともに、当該操作ハンドルの前面側に、開口窓を露出させる位置と開口窓を覆う位置との間で回動自在に枢着されたハンドルカバーを設け、器体の内部に、器体前面に露出させた操作子が操作ハンドルで押されると操作信号を発生する操作スイッチと、負荷および商用電源の直列回路の両端間に電気的に接続されて負荷への電源供給をオン／オフする開閉素子と、負荷の制御に関わる設定内容を記憶する記憶部と、現在時刻を計時する計時機能、設定操作部の設定操作に応じて負荷の制御に関わる設定内容を記憶部に記憶させる設定機能、設定表示部の表示を制御する表示制御機能、操作スイッチから操作信号が入力されると開閉素子のオン／オフを反転させるとともに、計時機能により計時された現在時刻が記憶部に記憶されたタイマ制御の設定時刻になるとタイマ制御の制御内容に応じて開閉素子のオン／オフを制御する制御機能を有するスイッチ制御部とを収納したタイマスイッチであって、ハンドルカバーが閉じられるとスイッチ制御部に検知信号を出力する開閉検知手段を設け、スイッチ制御部の制御機能が、設定操作部から設定操作に応じた入力がある間、および、開閉検知手段から検知信号が入力された時点より一定時間が経過するまでの間、操作スイッチからのスイッチ入力に応じた開閉素子のオン／オフ制御を停止することを特徴とする。
【００１６】
請求項１１の発明は、請求項１又は１０の発明において、器体は、造営材に固定される取付枠に取着するための取付手段を有し、取付枠の前面側に取着されるプレートの窓孔から前面を露出させた状態で取付手段を用いて取付枠に取り付けられ、開口窓を露出させる位置にハンドルカバーを開いた状態で、ハンドルカバーを開く方向に過大な力が加わった場合に、プレートの窓孔の周部にハンドルカバーが当接した部位を支点にして、操作ハンドルを器体の前面から離れる方向に押圧する力よりも、器体が操作ハンドルを保持する保持力を小さく設定したことを特徴とする。
【００１７】
請求項１２の発明は、請求項１又は１０の発明において、器体は、造営材に固定される取付枠の窓孔から前面を露出させた状態で、取付枠に取着するための取付手段を有し、操作ハンドルは前面視の形状が略矩形状であって、枢支部で枢支された側の側縁を取付枠の前面に面接触させるとともに、枢支部で枢支された側と反対側の側縁を後側に押圧した場合に取付枠の前面と面接触させることを特徴とする。
【発明の効果】
【００１８】
請求項１の発明によれば、タイマモード切替手段を用いてタイマ制御の制御モードを、設定操作部により設定された設定時刻でタイマ制御を行う正確動作モード、又は、設定時刻をランダムに変化させたランダム設定時刻でタイマ制御を行うランダム動作モードに切り替えて使用することができ、正確動作モードとランダム動作モードとの切替操作をタイマモード切替手段で容易に行えるから、タイムスイッチの使い勝手が向上するという効果がある。
【００１９】
請求項２の発明によれば、遅れタイマ機能によってオフ操作時から所定の遅延時間だけ負荷の動作時間を延長することができ、例えば負荷が照明器具の場合には、照明器具を消灯させる操作を行った後も遅延時間だけ続けて点灯するから、その場所を離れるまでの間、明かりを確保することができ、使い勝手が向上するという効果がある。しかも遅延時間を設定する遅延時間設定手段を備えているので、タイマスイッチの負荷や使用条件に合わせて遅延時間を所望の時間に設定できるという効果がある。
【００２０】
請求項３の発明によれば、負荷の動作を継続させる必要がない場合には、遅れタイマ機能の限時中に操作スイッチの操作子を再度操作することによって、スイッチ制御部の制御機能が遅れタイマ機能の限時動作を強制的に終了させて、開閉素子をオフさせているので、負荷を即座に停止させることができ、使い勝手が更に向上するという効果がある。
【００２１】
請求項４の発明によれば、スイッチ制御部が、負荷のオン時に点灯表示部を消灯、オフ時に点灯、遅れタイマ機能の限時中に所定周期で点滅させているので、点灯表示部により位置表示を行うとともに、遅れ動作中であることが容易に判別でき、さらに制御モードがタイマ制御モードに切り替えられた場合には点灯表示部を所定周期よりも長い周期で点滅させているので、制御機能の制御モードが何れのモードに設定されているかを点灯表示部の点灯状態から容易に判別できるという効果がある。
【００２２】
請求項５の発明によれば、永久磁石の磁力で磁性体が吸着させることによって、ハンドルカバーが閉じた状態を保持できるという効果がある。しかも、ハンドルカバーを閉じる際にハンドルカバーをある位置まで回転させれば、永久磁石の磁力によってハンドルカバーが閉位置まで自然に回動するから、ハンドルカバーを最後まで押し込まなくても良くなり、ハンドルカバーを閉じる際に操作ハンドルが誤って押操作され、負荷のオン／オフが反転してしまうのを防止できるという効果もある。
【００２３】
請求項６の発明によれば、設定操作部の設定操作を行う際に誤って操作ハンドルが押されたとしても、スイッチ制御部の制御機能が、設定操作部から設定操作に応じた入力がある間、操作スイッチからのスイッチ入力に応じた開閉素子のオン／オフ制御を停止しているので、タイマスイッチの誤動作を防止できるという効果がある。
【００２４】
請求項７の発明によれば、ハンドルカバーを閉じる際に誤って操作ハンドルが押されたとしても、開閉検知手段から検知信号が入力された時点より一定時間が経過するまでの間、スイッチ制御部の制御機能が、操作スイッチからのスイッチ入力に応じた開閉素子のオン／オフ制御を停止しているので、タイマスイッチの誤動作を防止できるという効果がある。
【００２５】
請求項８の発明によれば、動作モード切替手段により制御モードに切り換えられた場合、ハンドルカバーを開けて設定操作部を操作したとしても、スイッチ制御部が、設定操作部からの設定入力に応じた設定機能の設定動作を停止させているので、設定内容が不用意に変更されるのを防止できる。
【００２６】
請求項９の発明によれば、停電発生時はスイッチ制御部が設定表示部の表示を停止させているので、消費電力を低減することができ、停電発生時にスイッチ制御部に電源供給を行うコンデンサに静電容量の小さい小型のものを使用できるから、タイマスイッチのコストダウンを図ることができる。
【００２７】
請求項１０の発明によれば、設定操作部の設定操作を行う際やハンドルカバーを閉じる際に誤って操作ハンドルが押されたとしても、スイッチ制御部の制御機能が、設定操作部から設定操作に応じた入力がある間、および、開閉検知手段から検知信号が入力された時点より一定時間が経過するまでの間、操作スイッチからのスイッチ入力に応じた開閉素子のオン／オフ制御を停止しているので、タイマスイッチの誤動作を防止できるという効果がある。
【００２８】
請求項１１の発明によれば、ハンドルカバーを開いた状態でハンドルカバーを開く方向に過大な力が加わった際に、プレートの開口窓の周部にハンドルカバーが当接した部位を支点として操作ハンドルを器体から離れる方向に押圧する力が発生するが、この押圧力よりも器体が操作ハンドルを保持する保持力を小さく設定しているので、操作ハンドルが器体から外れることによって、ハンドルカバーを操作ハンドルに枢支させる部位に過大な力が加わって破損するのを防止でき、操作ハンドルを器体に再度取り付けて使用することができるという効果がある。
【００２９】
請求項１２の発明によれば、枢支部で枢支された側の操作ハンドルの側縁を取付枠の前面に面接触させているので、この側縁に沿う方向の一端側で操作ハンドルを押したとしても、操作ハンドルが傾くのを防止でき、操作ハンドルの押操作をスムーズに行えるという効果がある。さらに枢支部で枢支された側と反対側の側縁を後側に押圧すると、この側縁が取付枠の前面に面接触するので、操作ハンドルの押し込み量を規制して、操作スイッチが破損するのを防止できるという効果もある。
【発明を実施するための最良の形態】
【００３０】
以下に本発明の実施の形態を図面に基づいて説明する。
（実施形態１）
本発明の実施形態１を図１〜図１３に基づいて説明する。尚、以下の説明では特に断りがないかぎり、図３（ａ）に示す向きにおいて上下左右の方向を規定し、図３（ａ）の正面を前面として説明を行う。
【００３１】
タイマスイッチＡの器体１０は直方体状であって、合成樹脂成形品からなり前面が開口した箱型に形成されたボディ１１と、合成樹脂成形品からなり後面が開口した箱型に形成されたカバー１２とを、ボディ１１の開口にカバー１２の開口を合わせるように結合して形成される。すなわち、カバー１２の上下両側面の後端縁からは後方に向かって各一対の組立片１２ａが延設され、各組立片１２ａに設けた組立孔１２ｂがボディ１１の上下両面に形成してある組立突起１１ａに係合することによって、ボディ１１とカバー１２とが結合されている。
【００３２】
器体１０の左右方向の寸法は、埋込配線器具用の取付枠５０（図２及び図５参照）の窓孔５１の左右方向（短手方向）の寸法に略等しい寸法に形成されている。取付枠５０の窓孔５１を囲む両側片５２，５２には配線器具を取り付けるための器具取付孔５３が３対ずつ設けてあり、器体１０の前部を構成するカバー１２の左右方向における一方の側壁（左側壁）には器具取付孔５３に係合可能な取付爪１３が２対、カバー１２の他方の側壁（右側壁）には上記取付爪１３が一対突設してあり、取付爪１３が器具取付孔５３に係合することによって器体１０を取付枠５０に保持させている。なおカバー１２の右側壁には、一対の取付爪１３が突設された部位の上下両側部に後端が開放された２本の切り込み溝１４が前後方向に沿って形成されており（図６参照）、２本の切り込み溝１４の間の部位は厚み方向に可撓性を有する撓み片１５を形成している。そしてカバー１２内において撓み片１５の裏面側には空所が形成され、撓み片１５をカバー１２の内側に撓ませることによって、撓み片１５に設けられた一対の取付爪１３をカバー１２の側面から弾性的に後退させることが可能となっている。
【００３３】
而して器体１０を取付枠５０に取り付ける際には、カバー１２の左側壁に設けた取付爪１３を取付枠５０の器具取付孔５３に挿入するとともに、右側壁に設けた取付爪１３をカバー１２の側面から後退させるようにして、取付枠５０の窓孔５１に器体１０の前部を挿入すれば、右側壁の取付爪１３が器具取付孔５３に挿入されて器体１０が取付枠５０に保持される。一方、器体１０を取り外す際には、撓み片１５をカバー１２の内側に押し込むようにすれば、撓み片１５に設けた取付爪１３が器具取付孔５３から抜け、取付枠５０から器体１０を取り外すことができる。ここに取付爪１３から、器体１０を取付枠５０に取り付けるための取付手段が構成される。
【００３４】
ところで、図２に示した取付枠５０は、規格化された単位モジュール寸法（１個モジュール寸法）の埋込型配線器具を短幅方向に３個並べて取付可能な１連の取付枠であって、タイマスイッチＡの器体１０は２個モジュール寸法に形成されており、図３に示すように１個モジュール寸法に形成された他の配線器具（例えばスイッチなど）Ｂと並設することができる。なお取付枠５０にタイマスイッチＡのみを取り付ける場合には、単位モジュール寸法の配線器具１個分の隙間ができるため、この隙間を塞ぐブランクチップ８０（図２参照）を取付枠５０に取り付ければ良い。なおブランクチップ８０は前面が略矩形状であって、左右方向および上下方向の寸法が単位モジュール寸法の配線器具と略同じ寸法に形成されており、取付枠５０に取り付けるための取付手段（図示せず）を備えている。
【００３５】
また取付枠５０の上下の枠片５４には、それぞれ、ボックス螺子（図示せず）を挿通するための長孔５５が形成されており、この長孔５５に通したボックス螺子を壁面などの造営面に埋設された埋込ボックス（図示せず）のねじ部に螺合することによって、造営材１００に固定されており、取付枠５０に保持された器体１０の後部は造営材１００に設けた取付孔１０１内に埋設される（図５参照）。また各枠片５４にはプレート螺子用のねじ孔５６が形成されており、取付枠５０の前面側には合成樹脂により矩形枠状に形成されたプレート枠６０がプレート螺子を用いてねじ止めされている（図１１参照）。このプレート枠６０には厚み方向に貫通する係止孔６２が形成されており、背面側に突設された弾性係止片７２を係止孔６２に引掛係止させることで化粧プレート７０がプレート枠６０の前面側に着脱自在に取着される。ここにプレート枠６０と化粧プレート７０とで取付枠５０の前面側に取着されるプレートが構成される。プレートを構成するプレート枠６０および化粧プレート７０は、それぞれ、取付枠５０の窓孔５１よりも長寸かつ幅広の窓孔６１，７１を備えており、これらの窓孔６１，７１を通してタイマスイッチＡの機能面や配線器具Ｂの機能面が露出するようになっている。
【００３６】
またボディ１１の内部には、後述するスイッチ制御部２や電源回路５の構成部品や外部電線を接続するための複数の端子（図示せず）などを実装するとともに放熱板１６ａを固定したプリント配線板からなる回路基板１６が収納されている。ここに回路基板１６に実装される個々の端子は、ボディ１１の後壁に形成された電線挿入孔（図示せず）を通してボディ１１内に挿入される外部電線を導電性を有する板ばねからなる鎖錠ばねのばね力によって接続保持する速結端子（図示せず）で構成してあり、鎖錠ばねを押圧して電線の鎖錠状態を解除するため解除釦（図示せず）もボディ１１の内部に収納されている。なお複数の端子としては後述する一対の負荷接続端子Ｔａ，Ｔｂがある。
【００３７】
一方カバー１２にはプリント配線板からなる回路基板１７が収納され、この回路基板１７には前面が矩形状に形成された液晶表示部８や、モーメンタリ型の押釦スイッチからなる操作スイッチＳＷ１や、点灯表示部たる発光ダイオードＬＤなどの回路部品が実装され、さらにラバースイッチ１９と共に設定操作部として機能する接点を構成する導電パターン（図示せず）が形成されている。この回路基板１７は、図５（ｂ）に示すようにカバー１２の前壁との間にラバースイッチ１９を介在させた状態でカバー１２内に納装されている。ラバースイッチ１９は、矩形板状の主部１９ｅと、主部１９ｅの上側辺から延出するく字形に屈曲した連結部１９ｆと、この連結部１９ｆを介して主部１９ｅに連結された短冊状の支持部１９ｇとを有し、主部１９ｅの前面には可撓性を有する薄肉部を介して主部１９ｅに連結された柱状のキー部１９ａ〜１９ｄが２列に並べて形成されている。そして、液晶表示部８とラバースイッチ１９とをカバー１２内に納装すると、ラバースイッチ１９の各キー部１９ａ〜１９ｄがカバー１２の前壁に設けた開口窓２１ｃ〜２１ｆより前方に突出するとともに、液晶表示部８の背面に支持部１９ｇが当接して、カバー１２の前壁と支持部１９ｇとの間で液晶表示部８が支持され、振動などで液晶表示部８の取付位置ががたつくのを防止できる。なお液晶表示部８を支持する部材をラバースイッチ１９が兼用しているので、部品点数を少なくして、組立作業工数を削減できる。また部品点数が少なくなるので、部品を製造する為の金型の数が減り、コストダウンが図られる。なお回路基板１７と回路基板１６との間は図示しないリード線を介して電気的に接続されており、両者の間には絶縁板２５が介装されている。
【００３８】
そして、液晶表示部８の表示画面と、発光ダイオードＬＤの発光部と、操作スイッチＳＷ１の押釦１８（操作子）と、ラバースイッチ１９のキー部１９ａ〜１９ｄとは、それぞれ、カバー１２の前壁に貫設された窓孔２１ａ〜２１ｆを通してカバー１２の前面（つまり器体１０の前面）に露出している。ここで器体１０前壁の右側寄りの部分において、上側に設けた四角形状の窓孔２１ａを通して液晶表示部８の表示画面が露出し、窓孔２１ａの下側略中央に設けた窓孔２１ｂを通して押釦１８が露出し、窓孔２１ａの下側に左右２列に２個ずつ設けた窓孔２１ｃ〜２１ｆを通してラバースイッチ１９のキー部１９ａ〜１９ｄが露出する。またカバー１２の前壁の左端部には、回路基板１７に実装された発光ダイオードＬＤが対向する部位に透孔２２が貫設されており、この透孔２２を通して発光ダイオードＬＤが露出するようになっている。
【００３９】
また器体１０の前面側には、操作スイッチＳＷ１を操作するための操作ハンドル３０が器体１０の前面の略全体を覆う形で回動自在に取着されている（図３及び図４参照）。カバー１２の前面の左側端部には、操作ハンドル３０を枢着するために斜め前方に突出する一対の軸部２３，２３が一体に突設してあり、軸部２３，２３の前端部はカバー１２の長手方向に沿った円柱状に形成されている。一方、操作ハンドル３０は合成樹脂により矩形板状に形成されており、左右方向の寸法が化粧プレート７０の窓孔７１の左右方向（短手方向）寸法と略同じ寸法に形成され、上下方向の寸法が窓孔７１の上下方向（長手方向）寸法の略３分の２の寸法に形成されている。操作ハンドル３０の背面の短手方向一端部には、図９（ａ）に示すように、板ばねにより形成された金属製の軸受用ばね体３０ｄをはめ込み用穴３０ｃ，３０ｃに装着した軸受部３０ｂが設けてある。軸受用ばね体３０ｄは、背面側の端部をはめ込み用穴３０ｃの中央へ突出させるように曲げ形成されており、軸受用ばね体３０ｄの背面側の端部とはめ込み用穴３０ｃとで枢支部たる軸部２３を回動自在に枢支する。
【００４０】
なお、はめ込み用穴３０ｃの開口付近では軸受用ばね体３０ｄの端部が内側に突出しているので、はめ込み用穴３０ｃの奥側よりも開口幅が狭く、カバー１２の軸部２３を軸受用ばね体３０ｄのばね力に抗してはめ込み用穴３０ｃに弾性的にはめ込むと、軸部２３と軸受部３０ｂとが枢着され、容易には外れないようにしてある。また操作ハンドル３０の裏面には後方に向かって突出する抜け止め用の抜止片３１が他端側に突設されており、この抜止片３１はカバー１２の前壁に形成した挿入孔１２ｃを通してカバー１２の内側に挿入され、抜止片３１の先端部に設けた係止爪３１ａが挿入孔１２ｃの周縁に係止されることによって、操作ハンドル３０の回動範囲を規制している。
【００４１】
また操作ハンドル３０の裏面には、カバー１２の前面に露出する押釦１８と対向する部位に押突起３０ａが突設されており、操作ハンドル３０の右側部を押操作すると、操作ハンドル３０が軸部２３を支点にして回動し、操作ハンドル３０の押突起３０ａによって押釦１８が押され、操作スイッチＳＷ１がオンする。一方、操作ハンドル３０を押圧する力を無くすと、操作ハンドル３０は押釦１８や軸受用ばね体３０ｄなどの反力を受けて復帰位置に戻り、操作スイッチＳＷ１がオフする。
【００４２】
また操作ハンドル３０前面の右側部分には薄肉部３２が形成されており、この薄肉部３２にはカバー１２の窓孔２１ａに対応する部位に液晶表示部８を露出させる角孔状の窓孔３３ａが貫設され、窓孔２１ｃ〜２１ｆに対応する部位にキー部１９ａ〜１９ｄをそれぞれ挿通させる開口窓３３ｂ〜３３ｅが貫設されている。また操作ハンドル３０前面の左端部には薄肉部３２の前面よりも前方に突出した突台部３４が設けられ、この突台部３４の上下方向における略中央部には導光部材３５の突部３５ａが嵌め込まれる透孔３４ａが形成されている。導光部材３５は透光性を有する合成樹脂で形成され、前面側の突部３５ａを透孔３４ａにはめ込んだ状態で操作ハンドル３０の背面側に取着されており、器体１０内に納装された発光ダイオードＬＤの照射光は操作ハンドル３０に保持された導光部材３５を通して操作ハンドル３０の透孔３４ａから前方へ出射されるようになっている。
【００４３】
また操作ハンドル３０の前面には、液晶表示部８やラバースイッチ１９のキー部１９ａ〜１９ｄが露出する部位（すなわち薄肉部３２）を開閉自在に覆うハンドルカバー４０が回動自在に枢着されている。ハンドルカバー４０は左右方向及び上下方向の寸法が、それぞれ、薄肉部３２の左右方向及び上下方向の寸法と略同じ寸法に形成されており、ハンドルカバー４０の左側部の上下両端部からは側方に向かって突出するアーム４１，４１が突設され、各アーム４１の先端部には突台部３４の上下両側面に設けた軸穴（図示せず）に枢支される回動軸４１ａ（図１１（ａ）参照）が突設されている。而して突台部３４の軸穴にアーム４１の回動軸を軸支させることで、ハンドルカバー４０は、窓孔３３ａおよび開口窓３３ｂ〜３３ｅを露出させる状態と、窓孔３３ａおよび開口窓３３ｂ〜３３ｅを覆う状態とを選択自在として操作ハンドル３０の前面に回動自在に取着されている。
【００４４】
なおハンドルカバー４０の裏面には、アーム４１が突設された側と反対側の部位に枠状のリブ４２が突設され、このリブ４２で囲まれる部位に永久磁石４３が挿入される。そしてリブ４２の上下辺に形成された柱状突起４２ａ，４２ａを圧着や熱着などの方法で潰すことによって、永久磁石４３がリブ４２で囲まれた部位に保持されるようになっている。一方、操作ハンドル３０には、永久磁石４３と対向する部位の裏側に鉄片のような磁性体３６を納める収納凹部３０ｅが形成されており、この収納凹部３０ｅに磁性体３６を納装した後、収納凹部３０ｅの縁部に設けた突起３０ｆを圧着や熱着などの方法で潰すことによって、磁性体３６が収納凹部３０ｅ内に保持される。尚、磁性体３６は、操作ハンドル３０における永久磁石４３との対向部位の略真裏に位置するように取り付けられており（図７及び図９参照）、永久磁石４３との距離をできるだけ短くすることで永久磁石４３の磁力による吸引力を高めているので、磁性体３６の大きさを小さくでき、磁性体３６を圧着などの方法で確実に固定できる。
【００４５】
而してハンドルカバー４０を閉じて、操作ハンドル３０の薄肉部３２にハンドルカバー４０を重ねると、操作ハンドル３０の前壁を介して磁性体３６の前方に永久磁石４３が配置され、永久磁石４３の磁力で磁性体３６が吸引されることで、ハンドルカバー４０が閉じた状態を保持する。またハンドルカバー４０を閉じる際にハンドルカバー４０をある位置（角度）まで回転させると、永久磁石４３の磁力によってハンドルカバー４０が閉位置まで自然に回転するから、ハンドルカバー４０を最後まで押し込まなくても良くなり、ハンドルカバー４０を閉じようとする力で操作ハンドル３０が誤って押操作されてしまい（すなわち操作スイッチＳＷ１の操作子１８が押されてしまい）、負荷のオン／オフが反転してしまうのを防止できる。
【００４６】
なお図８（ｂ）及び図１６（ａ）に示すように操作ハンドル３０の背面に抜止片３１を２本突設した場合は、磁性体３６を取り付けるスペースを操作ハンドル３０の背面側に確保することができない。そのため図１６（ｂ）のように操作ハンドル３０の前面に磁性体３６を貼着などの方法で取り付けることになり、この場合は永久磁石４３の磁力によって磁性体３６が剥がれてしまう可能性がある。それに対して本実施形態では抜止片３１を２本から１本に減らし、操作ハンドル３０の上下方向における略中間部に突設しているので、操作ハンドル３０の背面に磁性体３６の取付スペースを確保でき、その結果磁性体３６と永久磁石４３との間に操作ハンドル３０が位置するから、永久磁石４３の磁力によって磁性体３６が剥がれる虞はない。
【００４７】
また抜止片３１を１本にした場合は抜止片３１を操作ハンドル３０の上下方向における略中間部に配置することができ、操作スイッチＳＷ１の操作子１８を押す押突起３０ａが抜止片３１と軸部２３との中間部に配置される。ここで、押突起３０ａは操作ハンドル３０の上下方向における略中間部に配置されているので、操作ハンドル３０の上下の端部を押した際に何れの端部を押したとしても、押圧部位から押突起３０ａまでの距離が略等しくなるから、何れの端部を押した場合でも操作感触や操作荷重やストロークを略同じにでき、操作ハンドル３０の端押しを良好に行うことができる。
【００４８】
次にこのタイマスイッチＡの回路構成を図１のブロック回路図を参照して説明する。本回路は、開閉素子としてのトライアック１と、マイクロコンピュータからなるスイッチ制御部２と、操作スイッチＳＷ１および設定操作部たるラバースイッチ１９からの設定入力を監視する入力回路部３と、タイマ制御などのスイッチ制御に関わる設定データを記憶するＥＥＰＲＯＭのような不揮発性メモリからなるメモリ４（記憶部）と、電源回路５と、停電検出回路６と、駆動回路７と、設定表示部たる液晶表示部８（ＬＣＤ）とを主要な構成として備える。なおスイッチ制御部２は、クロック回路（図示せず）から与えられるクロックをカウントすることによって現在の時刻を計時する計時タイマ２ａ（計時機能）を備えている。またスイッチ制御部２の演算機能によって、設定操作部の設定操作に応じて負荷の制御に関わる設定内容をメモリ４に記憶させる設定機能、液晶表示部８の表示を制御する表示制御機能、操作スイッチＳＷ１から操作信号が入力されるとトライアック１のオン／オフを反転させるとともに、計時タイマ２ａにより計時された現在時刻がメモリ４に記憶されたタイマ制御の設定時刻になるとタイマ制御の制御内容に応じてトライアック１のオン／オフを制御する制御機能、タイマ制御の設定時刻を所定の時間幅で毎日ランダムに変化させたランダム設定時刻を設定する機能とが実現されている。
【００４９】
本回路では、商用電源ＡＣおよび負荷Ｌの直列回路が電気的に接続される一対の負荷接続端子Ｔａ，Ｔｂ間にトライアック１を接続してあり、駆動回路７がスイッチ制御部２の出力端子Ｐ１から与えられる制御信号に応じてトライアック１をターンオン又はターンオフしている。
【００５０】
入力回路部３は、操作スイッチＳＷ１やラバースイッチ１９の備えるスイッチＳＷ２〜ＳＷ５の操作を監視しており、操作スイッチＳＷ１の押釦１８やラバースイッチ１９のキー部１９ａ〜１９ｄが押されると、操作スイッチＳＷ１およびスイッチＳＷ２〜ＳＷ５のスイッチ入力をスイッチ制御部２に与えるようになっている。
【００５１】
電源回路５は、負荷接続端子Ｔａ，Ｔｂ間に交流入力端が接続された全波整流器ＤＢと、全波整流器ＤＢの直流出力端子間に接続された抵抗Ｒ１，Ｒ２の直列回路、抵抗Ｒ２と並列に接続されたツェナーダイオードＺＤ、およびコレクタ・ベース間に抵抗Ｒ１が接続されたトランジスタＴｒ１からなるシリーズレギュレータとで構成され、トランジスタＴｒ１のコレクタはスイッチ制御部２の電源端子Ｐ４に接続されている。全波整流器ＤＢの交流入力端子には負荷接続端子Ｔａ，Ｔｂを介して交流電圧が印加され、この交流電圧を全波整流器ＤＢにより全波整流して直流電圧に変換した後、シリーズレギュレータで定電圧化してスイッチ制御部２などに動作電源を供給している。なお負荷Ｌのオフ時には負荷接続端子Ｔａ，Ｔｂを介して負荷Ｌの漏れ電流が流れるので、この漏れ電流が全波整流器ＤＢで全波整流されて電源回路５に与えられ、電源回路５により動作電源が生成される。また本回路では、電源回路５の出力電圧によって充電されるコンデンサＣ１を備えており、停電発生時に電源回路５からの電源供給が無くなると、コンデンサＣ１からスイッチ制御部２へ動作電源が供給される。
【００５２】
停電検知回路６は、ゲート・ソース間に抵抗Ｒ２が接続されるとともに、ドレインが抵抗Ｒ３を介して定電圧Ｖｃｃにプルアップされた電界効果トランジスタ（以下、トランジスタと言う）Ｔｒ２を有しており、トランジスタＴｒ２のドレイン電圧がスイッチ制御部２の入力端子Ｐ３に印加される。ここで、商用電源ＡＣが正常に供給されている場合は抵抗Ｒ２の両端間に電圧が発生するので、トランジスタＴｒ１のゲート・ソース間に電圧が発生して、トランジスタＴｒ１のドレイン・ソース間が導通し、スイッチ制御部２の入力端子Ｐ３の電圧レベルはローレベルになる。一方、停電時には抵抗Ｒ２の両端電圧がゼロになるので、トランジスタＴｒ１のドレイン・ソース間がオフになり、スイッチ制御部２の入力端子Ｐ３の電圧レベルはハイレベルになる。
【００５３】
点灯表示部たる発光ダイオードＬＤは、スイッチ制御部２の出力端子Ｐ２から供給される駆動電流により励磁されて点灯する。
【００５４】
次にタイマスイッチＡの動作について以下に説明を行う。先ずスイッチ制御部２の設定機能により現在時刻や遅延時間やタイマ時間などのスイッチ制御に関する設定内容を設定する設定モードについて説明する。図１０は液晶表示部８の表示画面を示しており、表示画面の下側には現在時刻や遅延時間や設定時刻を表す７セグメントの４桁の数字８ａが表示され、その数字８ａの上側に数字８ａが表す時間を説明する「入」「分」「切」「秒」のような文字８ｂが左右に並べて表示される。また器体１０の前面には窓孔３３ａに連通する連通孔が貫設された銘板２４を貼着してあり、この銘板２４には窓孔３３ａの上側に表示内容を説明する文字（例えば現在時刻の設定中を示す「現在」、遅延時間の設定中を示す「遅れ」、タイマ制御モード（所謂留守番モード）の設定中を示す「留守番」）が左右に並べて表示されている。そして液晶表示部８の表示画面には、銘板２４に表示された「現在」「遅れ」「留守番」の文字の下側にそれぞれお「―」のようなシンボル８ｃが表示され、さらにシンボル８ｃの下側に現在の設定内容を表す「▲」のようなシンボル８ｄが表示される。また液晶表示部８の表示画面には、数字８ａの下側に「−」のようなシンボル８ｅが、銘板２４の「正確動作」という文字の上側に表示させることができ、タイマ制御の制御モードが正確動作モードに設定された場合はシンボル８ｅが表示され、ランダム制御作モードに設定された場合はシンボル８ｅの表示が消えるようになっている。また図１０の表示例では「入」「分」「切」「秒」の文字８ｂが全て表示されているが、「入」「分」「切」「秒」の文字８ｂの内で設定内容に対応する文字のみが表示される。また「現在」「遅れ」「留守番」の文字の下側に「▲」が全て表示されているが、現在の設定内容に対応して何れか１つの文字の下側のみに「▲」を表示させている。このように液晶表示部８の表示にシンボル８ｃ，８ｄ，８ｅを用いることで、表示内容を判りやすくでき、また文字などで表示する場合に比べて表示面積が小さくて済むから、液晶表示部８の画面を小型にできる。
【００５５】
ところで、上述したラバースイッチ１９のキー部１９ａ，１９ｂは、時間設定のための設定スイッチＳＷ２，ＳＷ３の操作釦であり、キー部１９ａを押せば時刻を遅くしたり、後述の遅延時間を長くでき、キー部１９ｂを押せば時刻を早めたり、遅延時間を短くできる。またラバースイッチ１９のキー部１９ｃはスイッチ制御部２の動作モードを設定モード又は制御モードの何れかに切り替えるための切替スイッチＳＷ４（動作モード切替手段）の操作釦であり、キー部１９ｄはスイッチ制御部２の制御モードを手動制御モード又はタイマ制御モードに切り換えるとともに、タイマ制御の制御モードを正確動作モード又はランダム動作モードに切り換えるための切替スイッチＳＷ５（タイマモード切替手段およびモード切替手段）の操作釦である。そして、各キー部１９ａ〜１９ｄを押操作すると、入力回路部３を介して各スイッチＳＷ２〜ＳＷ５のスイッチ入力がスイッチ制御部２に与えられるようになっている。
【００５６】
ここで、ラバースイッチ１９のキー部１９ｃを一定時間（例えば３秒間）長押しすると、切替スイッチＳＷ４のスイッチ入力が入力回路部３を介してスイッチ制御部２に与えられ、スイッチ制御部２の動作モードが現在時刻設定モードに切り替わり、その後キー部１９ｃを押して、切替スイッチＳＷ４のスイッチ入力がスイッチ制御部２に与えられる毎に、スイッチ制御部２の動作モードが現在時刻設定モード→遅延時間設定モード→入時間設定モード→切時間設定モード→現在時刻設定モード→…のようにサイクリックに切り替えられる。尚、遅延時間設定モードとは、操作スイッチＳＷ１による負荷のオフ操作時に、負荷への電源供給を継続して、電源供給の停止を遅らせる遅延時間を設定するモードである。また入時間設定モードとは負荷への電源供給を開始する２４時間タイマの入時間を設定するモードであり、切時間設定モードとは負荷への電源供給を終了する２４時間タイマの切時間を設定するモードである。
【００５７】
スイッチ制御部２の動作モードが現在時刻設定モードに切り替わると、スイッチ制御部２は液晶表示部８の表示を制御して、「現在」の文字の下に「▲」のシンボル８ｄを表示させるとともに、時刻を示す数字８ａを点滅させる。この状態でキー部１９ａ，１９ｂを押すと時間を合わせることができる。すなわちキー部１９ａ，１９ｂの操作に応じて設定スイッチＳＷ２，ＳＷ３のスイッチ入力がスイッチ制御部２に与えられ、スイッチ制御部２が内蔵する計時タイマ２ａの時刻を増減させるとともに、液晶表示部８の時刻を示す数字８ａを変化させる。時間の設定を終えてキー部１９ｃを押すと、スイッチＳＷ４のスイッチ入力がスイッチ制御部２に与えられ、スイッチ制御部２は計時タイマ２ａの時間を確定するとともに、液晶表示部８の表示を制御して時間を示す数字８ａの点滅を止め、分の設定に移る。ここで、キー部１９ａ，１９ｂを押すと上述と同様に分を合わせることができ、分の設定を終えてキー部１９ｃを押すと、スイッチＳＷ４のスイッチ入力がスイッチ制御部２に与えられ、スイッチ制御部２は計時タイマ２ａの時刻を確定して現在時刻設定モードを終了し、遅延時間設定モードに移行する。
【００５８】
スイッチ制御部２の動作モードが遅延時間設定モードに切り替わると、スイッチ制御部２は液晶表示部８の表示を制御して、「遅れ」の文字の下に「▲」のシンボル８ｄを表示させ、「分」「秒」の文字８ｂを表示させるとともに、数字８ａを点滅させる。この状態で遅延時間設定手段たるキー部１９ａ，１９ｂを押すと、設定スイッチＳＷ２，ＳＷ３のスイッチ入力がスイッチ制御部２に与えられ、スイッチ制御部２が遅延時間の「分」の設定を増減させる。そして、分の設定を終えてキー部１９ｃを押すと、スイッチＳＷ４のスイッチ入力がスイッチ制御部２に与えられて、スイッチ制御部２が遅延時間の分の設定を確定するとともに、液晶表示部８の表示を制御して分を示す数字８ａの点滅を止め、秒の設定に移る。ここで、キー部１９ａ，１９ｂを押すと上述と同様に秒を合わせることができ、秒の設定を終えてキー部１９ｃを押すと、スイッチＳＷ４のスイッチ入力がスイッチ制御部２に与えられ、スイッチ制御部２は遅延時間の設定を確定してメモリ４に記憶させた後、入時間設定モードに移行する。
【００５９】
スイッチ制御部２の動作モードが入時間設定モードに切り替わると、スイッチ制御部２は液晶表示部８の表示を制御して、「留守番」の文字の下に「▲」のシンボル８ｄを表示させ、「入」の文字８ｂを表示させるとともに、数字８ａを点滅させる。この状態でキー部１９ａ，１９ｂを押すと、現在時刻設定モードの場合と同様に時間および分を合わせることができ、時間および分の設定を終えてキー部１９ｃを押すと、スイッチＳＷ４のスイッチ入力がスイッチ制御部２に与えられ、スイッチ制御部２は入時間を確定してメモリ４に記憶させた後、切時間設定モードに移行する。
【００６０】
スイッチ制御部２の動作モードが切時間設定モードに切り替わると、スイッチ制御部２は液晶表示部８の表示を制御して、「留守番」の文字の下に「▲」のシンボル８ｄを表示させ、「切」の文字８ｂを表示させるとともに、数字８ａを点滅させる。この状態でキー部１９ａ，１９ｂを押すと、現在時刻設定モードの場合と同様に時間および分を合わせることができ、時間および分の設定を終えてキー部１９ｃを押すと、スイッチＳＷ４のスイッチ入力がスイッチ制御部２に与えられ、スイッチ制御部２は切時間を確定してメモリ４に記憶させた後、切時間設定モードを終了する。
【００６１】
なおスイッチ制御部２が上記の各設定モードで動作している間にキー部１９ａ〜１９ｄが一定時間操作されず、スイッチ制御部２にスイッチＳＷ２〜ＳＷ５からの設定入力が一定時間無ければ、スイッチ制御部２は設定モードを終了して、制御モードに移行する。
【００６２】
ここで、設定モードにおいてキー部１９ａ〜１９ｄを押す際に操作ハンドル３０が誤って押され、操作ハンドル３０により操作スイッチＳＷ１の押釦１８が押されてしまう可能性があるが、スイッチ制御部２の制御機能は、切替スイッチＳＷ４からのスイッチ入力に応じて設定モードに切り替えられた場合、操作スイッチＳＷ１からのスイッチ入力に応じたトライアック１のオン／オフ制御を停止しているので、負荷Ｌが誤ってオン／オフされることはなく、負荷の誤操作を防止できる。またキー部１９ｃを押操作してスイッチ制御部２の動作モードを設定モードから制御モードに切り換えた場合、スイッチ制御部２では、設定スイッチＳＷ２，ＳＷ３の設定入力に応じた設定機能を停止しているので、ハンドルカバー４０を開けてラバースイッチＳＷ４のキー部１９ａ，１９ｂを押操作したとしても設定内容が変更されることはなく、設定内容が不用意に変更されるのを防止できる。
【００６３】
尚、キー部１９ａ〜１９ｄが押操作され、入力回路部３を介して設定スイッチＳＷ２〜ＳＷ５からのスイッチ入力がある場合は、スイッチ制御部２の制御機能が操作スイッチＳＷ１からのスイッチ入力に応じたトライアック１のオン／オフ制御を停止するようにしても良く、設定操作部からの設定操作に応じた入力がある間、操作スイッチＳＷ１からのスイッチ入力に応じたトライアック１のオン／オフ制御を停止しているので、タイマスイッチの誤動作を防止できる。
【００６４】
次にスイッチ制御部２の制御機能による制御動作について説明を行う。スイッチ制御部２の動作モードが制御モードに切り替えられた状態で、ラバースイッチ１９のキー部１９ｄを押すと、切替スイッチＳＷ５のスイッチ入力が入力回路部３を介してスイッチ制御部２に与えられ、スイッチ制御部２による制御モードが手動制御モード又はタイマ制御モード（留守番モード）に交互に切り替えられる。ここに、手動制御モードとは操作スイッチＳＷ１からのスイッチ入力のみに応じて負荷のオン／オフを反転させる制御モードであり、タイマ制御モードとは計時タイマ２ａの計時した現在時刻がタイマ制御の設定時刻（入時刻又は切時刻）になると負荷をオン／オフさせる制御モードである。またタイマ制御モードには、上記の設定時刻（入時刻及び切時刻）で所定のタイマ制御を行う正確動作モードと、設定時刻（入時刻及び切時刻）を所定の時間幅（例えば±３０分の範囲）で毎日ランダムに変化させたランダム設定時刻を設定し、毎日更新されるランダム時刻でタイマ制御を行うランダム動作モードとがある。スイッチ制御部２が手動制御モードで動作中にキー部１９ｄを押すと、スイッチ制御部２の制御機能は制御モードをランダム動作モードに切り替えるとともに、液晶表示部８のシンボル８ｅの表示を消す。またランダム動作モードに切り替えた後にキー部１９ｄを一定時間（例えば３秒間）長押しすると、スイッチ制御部２が切替スイッチＳＷ５からのスイッチ入力に応じて、タイマ制御モードを正確動作モードに切り替えるとともに、液晶表示部８に定刻制御を示すシンボル８ｅを表示させる。また正確動作モードに切り替えた後にキー部１９ｄを１回押操作すると、スイッチ制御部２が切替スイッチＳＷ５からのスイッチ入力に応じて手動制御モードに切り換えるとともに、液晶表示部８の表示を制御してシンボル８ｅの表示を消す。
【００６５】
先ず手動制御モードでの制御動作について説明を行う。ハンドルカバー４０を閉じた状態（図３（ａ）参照）でハンドルカバー４０（操作ハンドル３０）の右側部を押操作すると、操作ハンドル３０が回動して、操作ハンドル３０の裏面で操作スイッチＳＷ１の押釦１８が押圧され、スイッチ入力部３を介して操作スイッチＳＷ１からのスイッチ入力がスイッチ制御部２に入力される。この時、負荷Ｌがオフであれば、スイッチ制御部２は駆動回路７によりトライアック１をオンさせて、負荷Ｌに電源を供給するとともに、発光ダイオードＬＤを消灯させる。また負荷Ｌがオンであれば、スイッチ制御部２は、遅れ時間を限時する内蔵の遅れタイマ２ｂにより遅延時間の限時動作を開始させ、遅れタイマ２ｂの限時動作中はトライアック１のオンさせて負荷Ｌへの電源供給を継続するとともに、発光ダイオードＬＤを所定周期（例えば１秒）で点滅させる。そして、遅れタイマ２ｂの限時動作が終了すると、スイッチ制御部２はトライアック１をオフして、負荷Ｌへの電源供給を停止するとともに、発光ダイオードＬＤを点灯させてスイッチの位置表示を行う。
【００６６】
このように、手動制御モードではハンドルカバー４０（操作ハンドル３０）を押す毎に負荷Ｌのオン／オフが反転し、また負荷Ｌをオフ操作する際はオフ操作後も所定の遅れ時間だけ負荷Ｌへの電源供給を継続しているので、負荷Ｌが例えば内玄関に設置されたランプの場合にはランプの消灯操作を行った後も靴を履いたり荷物を持つなどの動作を行って外に出るまでの間、明かりを確保することができ、使い勝手が向上する。また負荷Ｌが例えば台所や廊下に設置されたランプの場合にも消灯操作後に遅れ時間だけランプの点灯状態を延長することで、次の部屋に移動してランプを点灯させるまでの間、明かりを確保することができ、使い勝手が向上する。なお、遅れタイマ２ｂの限時動作中にハンドルカバー４０（操作ハンドル３０）が再度押操作されて、操作スイッチＳＷ１からのスイッチ入力がスイッチ制御部２に与えられると、スイッチ制御部２は、遅れタイマ２ｂの限時動作を強制的に終了させて、トライアック１をオフさせ、負荷Ｌへの電源供給を即座に停止させており、遅れタイマ制御が不要な場合は操作ハンドル３０を再度押操作することで、負荷Ｌを即座に停止できるから、使い勝手が更に向上する。
【００６７】
次にタイマ制御モードでの制御動作について説明を行う。先ずタイマ制御の制御モードが正確動作モードに設定されている場合について以下に説明する。正確動作モードでは、スイッチ制御部２は、手動制御モードの場合と同様に操作スイッチＳＷ１からのスイッチ入力に応じてトライアック１のオン／オフを切り替えて、負荷Ｌをオン／オフするとともに、計時タイマ２ａの計時した現在時刻がメモリ４に登録された入時刻ｔ１になると、トライアック１をオンして負荷Ｌに電源を供給すると共に、現在時刻が切時刻ｔ２になると、トライアック１をオフして負荷Ｌへの電源供給を停止する。
【００６８】
このように、正確動作モードでは、予め設定された設定時刻（入時刻ｔ１および切時刻ｔ２）になると負荷Ｌをオン、オフさせているので、例えば負荷Ｌである照明器具を予め設定した時間帯に点灯させることで、家人が在宅していると見せかけて、防犯効果を発揮することができる。
【００６９】
なお負荷Ｌをオン、オフさせる時間が毎日決まっていると、負荷Ｌをタイマで動作させていることが悟られやすいため、負荷Ｌをオン、オフさせる設定時間を毎日ランダムに変化させることが好ましく、本実施形態ではタイマ制御の制御モードとしてランダム動作モードを用意している。
【００７０】
スイッチ制御部２は、メモリ４に登録されたタイマ制御の設定時刻、すなわち入時刻ｔ１および切時刻ｔ２を所定の時間幅（例えば±３０分）で毎日ランダムに変化させたランダム設定時刻（入時刻ｔ３および切時刻ｔ４）を設定する機能を有しており、毎日更新された入時刻ｔ３および切時刻ｔ４をメモリ４に登録する。ランダム動作モードでは、スイッチ制御部２は、手動制御モードの場合と同様に操作スイッチＳＷ１からのスイッチ入力に応じてトライアック１のオン／オフを切り替えて、負荷Ｌをオン／オフするとともに、計時タイマ２ａの計時した現在時刻がメモリ４に登録された入時刻ｔ３になると、トライアック１をオンして負荷Ｌに電源を供給すると共に、現在時刻が切時刻ｔ４になると、トライアック１をオフして負荷Ｌへの電源供給を停止する。
【００７１】
このように、ランダム動作モードでは、予め設定された設定時刻（入時刻ｔ１および切時刻ｔ２）の±３０分の範囲で負荷Ｌをオン、オフさせており、例えば負荷Ｌである照明器具を所定の時間帯付近で点灯、消灯させているので、家人が在宅していると見せかけて、防犯効果を発揮することができ、しかも正確動作モードに比べて、オン／オフの設定時刻を所定の時間幅で変化させることができるから、負荷Ｌをタイマ制御していることが悟られにくくなり、防犯効果をさらに高めることができる。そして本実施形態では、ラバースイッチＳＷ４のキー部１９ｄの操作に応じてタイマ制御の制御モードを正確動作モード又はランダム動作モードの何れかに切り替えることが可能なので、使い勝手が向上するという利点がある。なおスイッチ制御部２は、タイマ制御モード（正確動作モードおよびランダム動作モード）で動作中に、発光ダイオードＬＤを上記の所定周期よりも長い周期（例えば２秒周期）で点滅させて、タイマ制御モードで動作していることを表示しており、ハンドルカバー４０を閉じて液晶表示部８の表示が見えない状態でも発光ダイオードＬＤの点滅状態からタイマ制御モードで動作していることが容易に判別できる。
【００７２】
次に停電発生時および復電時の動作について以下に説明する。スイッチ制御部２の入力端子Ｐ３には停電検知回路６の出力が与えられており、スイッチ制御部２は入力端子Ｐ３の信号レベルを常時監視している。通電状態では停電検出回路６の出力信号の電圧レベルがローレベルになり、スイッチ制御部２は、入力端子Ｐ３の信号レベルをもとに通電状態と判断し、制御モード又は設定モードで通常の動作を行う。一方、停電が発生すると停電検出回路６の出力信号の電圧レベルがハイレベルになるので、スイッチ制御部２は、入力端子Ｐ３の信号レベルをもとに停電状態と判断し、計時タイマ２ａによる計時機能以外の不要な機能（例えば液晶表示部８の表示を制御する表示制御機能やトライアック１のオン／オフを制御する制御機能）を停止させることで、消費電力を抑制する。ここで、停電発生時には電源回路５からスイッチ制御部２への電源供給が停止し、スイッチ制御部２はコンデンサＣ１から電源供給を受けて動作するのであるが、停電時はスイッチ制御部２がその消費電力を低減させているので、コンデンサＣ１に蓄えられた電荷でより長い時間計時タイマ２ａを動作させて、現在時刻を計時できるようにしている。また停電時の電力消費を抑制することで、コンデンサＣ１に静電容量の小さい小型の素子を使用でき、回路基板の小型化やコストダウンを図ることもできる。なおスイッチ制御部２は、停電検知後も入力端子Ｐ３の信号レベルを監視しており、信号レベルがローレベルになると、商用電源ＡＣが復電したと判断して、停止中の機能を再開させて、通常の動作を行う。
【００７３】
一方、コンデンサＣ１が放電し終わるまで停電が継続すると、計時タイマ２ａの計時動作が停止してしまい、現在の時刻が失われてしまう。その後、商用電源ＡＣが復電すると、電源回路５からスイッチ制御部２への電源供給が再開され、スイッチ制御部２が動作を開始する。スイッチ制御部２は計時タイマ２ａの時刻が失われると、例えば上記所定期間よりも短い周期（例えば０．４秒周期）で発光ダイオードＬＤを点滅させるとともに、液晶表示部８の数字８ａを「−−：−−」に切り替えて、計時タイマ２ａに時刻が設定されていないことを報知し、使用者に対して時刻の設定を促すことができる。
【００７４】
ところで、本実施形態のタイマスイッチＡは上述のような構造を有しており、使用者がタイマスイッチＡを手動制御モードで動作させ、単なるオン／オフスイッチとして使用する場合は、不必要な液晶表示部８や設定操作部が見えていると紛らわしいため、液晶表示部８や設定操作部を見えないようにしたいという要望がある。本実施形態ではハンドルカバー４０によって液晶表示部８や設定操作部を隠すと、一般的な押釦スイッチと略同じ外観になるので、操作ハンドル３０（ハンドルカバー４０）の操作部位を容易に判別でき、しかも操作ハンドル３０の大きさを器体１０の前面と略同じ大きさに形成できるので、操作部位が大きくなり、使い勝手が向上する。またタイマ制御に関わる設定操作部がハンドルカバー４０によって隠されるので、誤った操作でタイマ制御の設定内容が変更されたり、現在時刻の設定が変更されるのを防止できる。またタイマ動作の設定を行う場合にはハンドルカバー４０を開けることで、設定操作部が露出して操作可能になるから、タイマ制御などの制御に関わる設定作業を容易に行うことができる。
【００７５】
ここで、図１１（ａ）に示すように液晶表示部８や設定操作部を露出させる位置までハンドルカバー４０を開いた状態で、ハンドルカバー４０をさらに開方向に押す過大な力が加えられた場合、ハンドルカバー４０のアーム４１が化粧プレート７０の窓孔７１の周部（前面における窓孔７１の縁）と当接した部位（図中のＣ部）を支点として操作ハンドル３０を器体１０から離れる方向（図中の上方向）に押圧する力が発生するが、この押圧力よりも器体１０が操作ハンドル３０を保持する保持力を小さく設定しているので、同図（ｂ）に示すように操作ハンドル３０が器体１０から外れることによって、ハンドルカバー４０を操作ハンドル３０に枢支させる部位（アーム４１）に過大な力が加わって破損するのを防止でき、操作ハンドル３０を器体に再度取り付けて使用することができる。なお器体１０が操作ハンドル３０を保持する保持力は、通常の操作では操作ハンドル３０が外れない程度の保持力に設定してある。尚、操作ハンドル３０の裏面や器体１０の前面に、操作ハンドル３０の器体１０への取付方法を絵や文字で説明する表示部を印刷あるいはシールなどの方法で設けておくことも好ましく、操作ハンドル３０が外れた際に、操作ハンドル３０の取付方法を知らない一般のユーザでも、銘板の表示を見ながら取付作業を容易に行うことができる。
【００７６】
また図１２（ａ）に示すように、操作ハンドル３０は、軸部２３で枢支された側の側縁（左側縁）を取付枠５０の前面に面接触させているので、この側縁に沿う方向の一端側で操作ハンドル３０（実際にはハンドルカバー４０）を押したとしても、操作ハンドル３０が傾くのを防止できる。また図１２（ｂ）に示すように、操作ハンドル３０は軸部２３で枢支された側と反対側の側縁を押操作すると、この側縁が取付枠５０の前面に面接触するので、操作ハンドル３０の押し込み量を規制して、操作スイッチＳＷ１に過大な力が加わるのを防止でき、操作スイッチＳＷ１の破損を防止できる。
【００７７】
なお本実施形態では図１３（ａ）に示すようにハンドルカバー４０のアーム４１の幅寸法Ｅ１を取付強度が確保できる程度に細くしているので、アーム４１の回動軸４１ａを操作ハンドル４０の軸孔に軸支させる際にアーム４１が撓みやすく、ハンドルカバー４０の取付作業を容易に行うことができる。なお同図（ｂ）に示すように、取付時の撓みを確保できる範囲でアーム４１の幅寸法Ｅ２をできるだけ太くしても良く、アーム４１の幅を太くすることでアーム４１の強度を高めて、外力によるアーム４１の破損を防止することができる。
【００７８】
（実施形態２）
本発明の実施形態２を図１４を参照して説明する。尚、タイマスイッチＡの基本的な構成は実施形態１と同様であるので、共通する構成要素には同一の符号を付してその説明は省略し、以下では本実施形態の特徴部分のみについて説明を行う。
【００７９】
本実施形態ではハンドルカバー４０における操作ハンドル３０側の面に突起４４を設けるとともに、この突起４４に対向する操作ハンドル３０の部位に透孔３７を形成し、この透孔３７に臨むようにして内蔵するリミットスイッチの操作釦３８を配置しており、ハンドルカバー４０を閉じると、ハンドルカバー４０の突起４４が透孔３７を通してリミットスイッチの操作釦３８を押し、リミットスイッチの接点信号がスイッチ制御部２に入力されるようになっている。
【００８０】
ハンドルカバー４０を開いている場合は制御に関する設定操作を行うものと予想され、ラバースイッチ１９のキー部１９ａ〜１９ｄを押操作する際に操作ハンドル３０が誤って押されると、操作スイッチＳＷ１が押操作されて、負荷が誤動作する可能性がある。また設定操作を終えてハンドルカバー４０を閉じる際に操作ハンドル３０が誤って押される可能性もある。
【００８１】
そこで、本実施形態では、スイッチ制御部２の制御機能が、各スイッチＳＷ２〜ＳＷ５からのスイッチ入力がある間、および、リミットスイッチから接点信号が入力された時点より一定時間が経過するまでの間、操作スイッチＳＷ１からのスイッチ入力に応じたトライアック１のオン／オフ制御を停止しており、ハンドルカバー４０を開いて設定操作を行っている間とハンドルカバー４０を閉じてからの一定時間、操作スイッチＳＷ１からのスイッチ入力に応じたオン／オフ制御を停止することで、誤動作を防止することができる。
【００８２】
尚、スイッチ制御部２の制御機能は、各スイッチＳＷ２〜ＳＷ５からのスイッチ入力がある間はハンドルカバー４０が開いているものと判断しているが、リミットスイッチから設定信号が入力されない間と、リミットスイッチから接点信号が入力された時点より一定時間が経過するまでの間、操作スイッチＳＷ１からのスイッチ入力に応じたトライアック１のオン／オフ制御を停止するようにしても良い。
【００８３】
また本実施形態ではリミットスイッチにより操作ハンドル３０の開閉を検知する開閉検知手段を構成しているが、開閉検知手段をリミットスイッチに限定する趣旨のものではなく、従来周知の赤外線検知センサを器体１０内に収納して、赤外線検知センサの前方にハンドルカバー４０が有るか無いかを検知することで、ハンドルカバー４０の開閉を検知するようにしても良い。
【００８４】
（実施形態３）
本発明の実施形態３を図１５を参照して説明する。尚、タイマスイッチＡの基本的な構成は実施形態１又は２と同様であるので、共通する構成要素には同一の符号を付してその説明は省略し、以下では本実施形態の特徴部分のみについて説明を行う。
【００８５】
上述の実施形態１、２では、通電時に負荷接続端子Ｔａ，Ｔｂを介して流れる電流によって充電され、停電発生時にスイッチ制御部２へ電源を供給するコンデンサＣ１を設けていたが、照明器具のように負荷Ｌ自体にオン／オフのためのスイッチを備えている場合、負荷Ｌ側のスイッチを長時間オフすると、負荷Ｌの洩れ電流がタイマスイッチＡに流れなくなって、コンデンサＣ１が放電してしまい、計時タイマ２ａの時刻が失われてしまう可能性がある。
【００８６】
そこで、本実施形態では電池Ｂ１を設け、電源回路５および電池Ｂ１からそれぞれダイオードＤ１，Ｄ２を介してスイッチ制御部２に動作電源を供給している。そして、通電時には実施形態１と同様に電源回路５からスイッチ制御部２へ動作電源を供給し、停電発生時には電源回路５の出力電圧が低下してダイオードＤ１がオフ、ダイオードＤ２がオンになって、電池Ｂ１からスイッチ制御部２へ動作電源を供給している。
【００８７】
而して、負荷Ｌ側のスイッチをオフして、負荷Ｌの洩れ電流がタイマスイッチＡに流れなくなった場合や停電発生時には、停電検知回路６が停電を検知して、スイッチ制御部２が計時タイマ２ａ以外の不要な機能を低下させており、この時電池Ｂ１からスイッチ制御部２へ動作電源が供給されるので、スイッチ制御部２が計時タイマ２ａの動作を継続させ、計時タイマ２ａに現在時刻を保持させることができる。
【００８８】
なお、本発明の精神と範囲に反することなしに、広範に異なる実施形態を構成することができることは明白なので、この発明は、請求項１の発明において、特定の実施形態に制約されるものではない。
【図面の簡単な説明】
【００８９】
【図１】実施形態１のタイマスイッチのブロック回路図である。
【図２】同上の分解斜視図である。
【図３】（ａ）（ｂ）は同上の施工状態を示す正面図である。
【図４】同上のハンドルカバーを開いた状態を示し、（ａ）は外観斜視図、（ｂ）は下面図である。
【図５】（ａ）は同上を取付枠に取り付けた状態の正面図、（ｂ）は同上の施工状態を説明する側断面図である。
【図６】同上に用いるカバーに液晶表示部とラバースイッチとを組み込んだ状態を背面側から見た図である。
【図７】同上に用いるハンドルブロックの外観斜視図である。
【図８】（ａ）は同上に用いるハンドルブロックの外観斜視図、（ｂ）は参考例の外観斜視図である。
【図９】同上に用いるハンドルブロックを示し、（ａ）は背面図、（ｂ）はＡ−Ａ断面図である。
【図１０】同上に用いる液晶表示部の表示画面の説明図である。
【図１１】（ａ）（ｂ）は同上の施工状態を下側から見た断面図である。
【図１２】同上の施工状態を示し、（ａ）はプレートを外した状態の側面図、（ｂ）は下側から見た断面図である。
【図１３】（ａ）（ｂ）は同上を取付枠に取り付けた状態の正面図である。
【図１４】実施形態２のタイマスイッチの施工状態を示す正面図である。
【図１５】実施形態３のタイマスイッチのブロック回路図である。
【図１６】同上に用いるハンドルブロックの参考例を示し、（ａ）は背面図、（ｂ）はＡ−Ａ断面図である。
【符号の説明】
【００９０】
１  トライアック
２  スイッチ制御部
２ａ  計時タイマ
４  メモリ
８  液晶表示部
【図１】
2006210084.tif 000003
【図２】
2006210084.tif 000004
【図３】
2006210084.tif 000005
【図４】
2006210084.tif 000006
【図５】
2006210084.tif 000007
【図６】
2006210084.tif 000008
【図７】
2006210084.tif 000009
【図８】
2006210084.tif 000010
【図９】
2006210084.tif 000011
【図１０】
2006210084.tif 000012
【図１１】
2006210084.tif 000013
【図１２】
2006210084.tif 000014
【図１３】
2006210084.tif 000015
【図１４】
2006210084.tif 000016
【図１５】
2006210084.tif 000017
【図１６】
2006210084.tif 000018